(57)【要約】      （修正有）【課題】サンダル台の上面に多数の突起を設けたサンダルＳにおいて、サンダル台を１つの素材で構成して、貼合せ作業を不要とすること、サンダル台の通気性や通水性を向上させること、および履き心地の悪さ、すなわち履いた際に刺激が強すぎて足が痛いと言う問題を解決することである。【解決手段】サンダル台１が周縁部１１と、周縁部から垂下した周側壁１２と、周側壁間に延在する複数本の縦リブ１３および複数本の横リブ１４と、上部が半円球状の多数の突起１５と、突起と突起を繋ぐ連結部１６とからなり、突起１５は縦リブ１３と横リブ１４とからなる多数の四角形の中に配置され且つ縦リブおよび横リブの上端よりも突出しており、各連結部１６は縦リブまたは横リブと交叉する箇所で縦リブまたは横リブと連結されており、周縁部近傍の連結部１６は一端が周縁部に連結されており、サンダル台１は全体が一体的に成形された合成樹脂製である。【選択図】図１
0003146515.tif 000002
【実用新案登録請求の範囲】
【請求項１】
サンダル台が周縁部と、該周縁部から垂下した周側壁と、該周側壁間に延在する複数本の縦リブおよび複数本の横リブと、上部が半円球状の多数の突起と、該突起と突起を繋ぐ連結部とからなり、前記突起は前記縦リブと前記横リブとからなる多数の四角形の中に配置され且つ前記縦リブおよび前記横リブの上端よりも突出しており、前記各連結部は前記縦リブまたは前記横リブと交叉する箇所で前記縦リブまたは前記横リブと連結されており、周縁部近傍の連結部は一端が前記周縁部に連結されており、前記サンダル台は全体が一体的に成形された合成樹脂製であることを特徴とするサンダル。
【請求項２】
前記上部が半円球状の突起はその全体が薄肉で形成されており、その内側が外部に対して解放されていることを特徴とする請求項１に記載のサンダル。
【請求項３】
前記周側壁の底面に凹凸が形成されており、該凸部の先端は前記縦リブおよび前記横リブの底面よりも突出していることを特徴とする請求項１または２に記載のサンダル。
【請求項４】
前記縦リブおよび横リブはそれらの端部においてその上面が周縁部の裏面に接合され、前記縦リブの両端および横リブの両端は周側壁に接合されていることを特徴とする１〜３の何れか１項に記載のサンダル。
【請求項５】
サンダル台の周縁部に係合穴が設けられており、甲被が可撓性の合成樹脂製であり、甲被の両端に一体的に係合部が設けられており、該係合部は前記係合穴よりも小さな断面を有する連結部と、該連結部の先端に形成され且つ前記係合穴よりも大きな係合片からなり、前記甲被の係合部がサンダル台の前記係合穴に嵌合されていることを特徴とする請求項１〜４の何れか１項に記載のサンダル。
【請求項６】
サンダル台の前記周縁部に囲まれた部位において、前記縦リブ、横リブ、前記突起および前記連絡部の以外の箇所は上から下まで連通した空隙となっていることを特徴とする請求項１〜５の何れか１項に記載のサンダル。
【考案の詳細な説明】
【技術分野】
【０００１】
本考案はサンダル、詳しくは足裏を刺激するための突起を設けたサンダルに関するものである。
【背景技術】
【０００２】
従来、足裏を刺激するために、サンダル台の上面に多数の突起を設けたサンダルが数多く提案されている。例えば、実用新案登録第３０２５０２９号公報（特許文献１）には、多数の突起を設けたサンダルにおいては、突起の付け根部分にゴミが溜まりやすく、溜まったゴミを取りにくく、不衛生であると言う問題を解決するために、必要な部分のみに突起を設けることが提案されている。
【０００３】
特開２００１−２５８６０２号公報（特許文献２）には、多数の突起を設けたサンダルにおいて、天板に通気性のない素材を使用すると足裏の汗が発散せず、突起部の間に汚れが付着し、雑菌が繁殖しやすく、匂いが生じると言う問題を解決するために、天板に突起部があり、その突起部に孔を設け、天板の裏側に活性炭をコーティングしたシートを貼合せたサンダルが提案されている。
【０００４】
また、特開２００５−８０８２８号公報（特許文献３）には、多数の突起を設けたサンダルにおいて、突起が無垢（中実）の状態で形成されていると、サンダルを履いて歩行した時に、無垢の突起に体重が掛かって足裏に強い刺激が与えられ、足が痛くなったり不快感を与えると言う問題を解決するために、無垢の突起を形成した表層部の下面に低反発性のクッション部材を配設することが提案されている。
【０００５】
更に、意匠登録第１３３４２２０号公報（特許文献４）には、上向きに突出する複数の突起部材を所定の間隔を開けて配設して、これらの突起部材をリブによって保持させることにより靴底側に通じる複数の空隙部を構成したもので、突起部材によって使用者の足の裏を刺激すると共に、空隙部を通じて水や汗、塵埃等を靴底側に排出させて、通気性や通水性を向上させたサンダルが開示されている。
【特許文献１】実用新案登録第３０２５０２９号公報
【特許文献２】特開２００１−２５８６０２号公報
【特許文献３】特開２００５−８０８２８号公報
【特許文献４】意匠登録第１３３４２２０号公報
【考案の開示】
【考案が解決しようとする課題】
【０００６】
サンダル台の上面に多数の突起を設けた従来のサンダルにおいては、突起を設けた表面部材と底部材（接地する部分）の少なくとも２種類の部材を貼合せており、特許文献１〜特許文献３に開示されているようなサンダル台では複数枚の部材を重合わせ、貼合せて製造する必要がある。そのため、製造するのに、手間が掛かり、材料費も余分に掛かり、製造コストが高くなると言う問題がある。
【０００７】
しかも、突起を設けたサンダルにおいては、突起の付け根部分にゴミが溜まりやすく、溜まったゴミを取りにくく、不衛生であり、足裏の汗が発散せず、匂いが生じると言う問題がある。
【０００８】
前述した問題は、特許文献４に開示されたサンダルにおいて突起部材をリブによって保持させることにより靴底側に通じる複数の空隙部を構成することにより、空隙部を通じて水や汗、塵埃等を靴底側に排出することで解決される。
【０００９】
しかし、特許文献４に開示されたサンダルは図６および図７に示したように、突起１１５を縦横のリブ１１３、１１４により保持させるため、その保持箇所は図７（ａ）および（ｂ）に示すように、リブ１１３、１１４により中実に類似した状態となり、変形しない。しかも、サンダルを履いて歩行する時には、リブの底面と周側壁の底面１１２ａが接地するだけであるので、狭い面積で体重を支えることになる。そして、サンダルを履いて足裏が突起に接すると、リブのある箇所に体重が掛かって、その部分の足裏に極めて強い刺激が与えられ、足が痛くなる。これは特許文献３に提案されているような突起の下に低反発性クッション等がなく、突起の下のリブに直接に体重が掛かるためである。
【００１０】
本考案の目的は、サンダル台の上面に多数の突起を設けたサンダルにおいて、サンダル台を１つの素材で構成して、貼合せ作業を不要とすること、サンダル台の通気性や通水性を向上させること、しかも、特許文献４における履き心地の悪さ、すなわち履いた際に刺激が強すぎて足が痛いと言う問題を解決したサンダルを提供することである。
【課題を解決するための手段】
【００１１】
本考案は、サンダル台が周縁部と、該周縁部から垂下した周側壁と、該周側壁間に延在する複数本の縦リブおよび複数本の横リブと、上部が半円球状の多数の突起と、該突起と突起を繋ぐ連結部とからなり、前記突起は前記縦リブと前記横リブとからなる多数の四角形の中に配置され且つ前記縦リブおよび前記横リブの上端よりも突出しており、前記各連結部は前記縦リブまたは前記横リブと交叉する箇所で前記縦リブまたは前記横リブと連結されており、周縁部近傍の連結部は一端が前記周縁部に連結されており、前記サンダル台は全体が一体的に成形された合成樹脂製であることを特徴とするサンダルにより上記目的を達成する。
【００１２】
本考案において、上部が半円球状の突起はその全体が薄肉で形成されており、その内側が外部に対して解放されていることが好ましい。また、周側壁の底面に凹凸が形成されており、この凸部の先端が縦リブおよび横リブの底面よりも突出していることが好ましい。
【考案の効果】
【００１３】
本考案によれば、サンダル台は全体が一体的に成形された合成樹脂製であるので、従来のように複数の部材を貼合せたりする作業が不要であり、人手を掛けずにサンダル台を容易に製造することができる。
【００１４】
本考案によれば、上部が半円球状の多数の突起が縦リブと横リブとからなる多数の四角形の中に配置され、連結部を介して縦リブおよび横リブに支えられている。そして、突起は縦リブおよび横リブの上端よりも突出しているので、サンダルを履いた際に足裏が接するのは半円球状の多数の突起であり、縦リブと横リブは間接的にも接しないので、特許文献４のサンダルを履いた時のようにリブの存在によって足が痛くなったりしない。
【００１５】
特に、上部が半円球状の突起が薄肉で形成されており、その内側が外部に対して解放されていると、突起が変形可能であるので、サンダルを履いた際に、突起による刺激が適度であり、心地好く、長時間履いても足が痛くならない。
【００１６】
また、本考案によれば、サンダル台の周縁部に囲まれた部位において、縦リブ、横リブ、突起および連絡部以外の箇所は上から下まで連通した空隙となっているので、通気性および通水性があり、突起の根元に塵埃が溜まらず、またサンダルが汚れた場合も水で簡単に洗うことができ、衛生的である。
【００１７】
本考案によれば、周側壁の底面に凹凸が形成されており、この凸部の先端が縦リブおよび横リブの底面よりも突出しているので、本考案のサンダルを履いた時に滑り難くなっている。
【００１８】
また、本考案においては、縦リブおよび横リブが、それらの端部においてその上面が周縁部の裏面に接合され、縦リブの両端および横リブの両端は周側壁に接合されていることにより、周縁部およびそれに続く周側壁が補強され、サンダル台が変形し難くなる。
【００１９】
更に、本考案によれば、甲被を可撓性の合成樹脂製とし、甲被の両端に一体的に係合部を設け、サンダル台の周縁部に係合穴を設けて、係合部を係合穴に嵌合することにより、接着剤やビス等を使用せずに、簡単に甲被をサンダル台に取付けることができる。
【考案を実施するための最良の形態】
【００２０】
以下に図面を参照して本考案を詳細に説明する。図１は本考案のサンダルの一実施例の斜視図であり、図２はその側面図、図３は図１に示したサンダルの甲被を取外した状態の左足側のサンダル台の平面図、図４は図１に示したサンダルの甲被を取外した状態の右足側のサンダル台の底面図である。図５（ａ）は図４のＶａ−Ｖａ線に沿った断面図で、図５（ｂ）はＶｂ−Ｖｂ線に沿った断面図であり、理解し易いように、いずれの図もサンダルを履いた場合のように突起が上側になるように描いている。
【００２１】
なお、図６および図７は、本考案のサンダルとの比較のために、特許文献４に開示されたサンダルを示すものであり、図６はサンダル台の底面図、図７（ａ）は図６のＶIIａ−ＶIIａ線に沿った断面図で、図７（ｂ）は図６のＶIIｂ−ＶIIｂ線に沿った断面図である。
【００２２】
本考案のサンダルＳは図１に示すように、サンダル台１と甲被２とからなるものであり、サンダル台１の上面には周縁部１１を除く部位に足裏を刺激するために、多数の突起１５が設けられている。突起１５は上部が半円球状であり、足裏を強く刺激し過ぎないように、図５（ａ）および（ｂ）に示すように、全体が薄肉３で形成されており、その内側が外部に対して解放されている。
【００２３】
周縁部１１から下向きに周側壁１２が垂下している。周側壁１２の底面１２ａには図２に示すように、凹凸が形成されている。
【００２４】
サンダル台１の縦方向（長さ方向）に複数本の縦リブ１３が、横方向（幅方向）に複数本の横リブ１４が、それぞれ周側壁間に延在している。図４に示すように、縦リブ１３および横リブ１４はそれらの端部において、その上面が周縁部１１の裏面１１ａに接合され、縦リブ１３の両端および横リブ１４の両端は周側壁１１にそれぞれ接合されている。縦リブ１３および横リブ１４の底面は周側壁１２の底面１２ａの凹部と同じ高さであり、従って、周側壁１２の底面１２ａの凸部の先端は縦リブ１３および横リブ１４の底面よりも突出している。
【００２５】
図３および図４に示すように、各突起１５は縦リブ１３と横リブ１４からなる多数の四角形の中に配置されている。図５（ａ）および（ｂ）に示すように、突起１５は縦リブ１３および横リブ１４の上端よりも突出しており、互いに隣合う突起１５は連結部１６により縦方向および横方向において連結されている。また、周縁部近傍の突起１５は連結部１６′により周縁部１１に連結されている。そして、各連結部１６は縦リブ１３または横リブ１４と交叉する箇所で縦リブ１３または横リブ１４と連結されている。
【００２６】
このような構造であるので、多数の突起１５は縦リブ１３および横リブ１４によって直接に支持されず、縦リブ１３および横リブ１４からなる四角形の枠の中に宙に浮いた状態で連結部１６を介してリブ１３、１４に間接的に支持される。従って、サンダルを履いた場合、体重が地面に掛かる反作用としての、地面から受ける力は先ず周側壁１２およびリブ１３、１４に伝わり、その後、力が分散した状態で突起１５に伝わる。このため、足裏には全体的に分散した反力が伝わり、適度の刺激となる。
【００２７】
これに対して、特許文献４のサンダルでは、図６、図７（ａ）および図７（ｂ）に示すように、突起１１５は縦リブ１１３および横リブ１１５に直接に接合して連結されている。このため、地面から受ける力はリブ１１３、１１４の箇所で突起１１５を介して直接的に足裏に伝わる。このため、刺激が強過ぎ、足が痛くなる。
【００２８】
図３および図４に示すように、サンダル台１の周縁部１１に囲まれた部位において、縦リブ１３、横リブ１４、突起１５および連絡部１６の以外の箇所は上から下まで連通した空隙となっている。そのため、通気性および通水性がある。
【００２９】
このような構造のサンダル台１は合成樹脂により全体が一体的に成形することができる。合成樹脂としては特に限定されないが、例えば軟質塩化ビニルとすることができる。
【００３０】
また、この実施例では、サンダル台１の周縁部１１に図３に示すように、係合穴１７が４箇所に設けられている。一方、甲被２を可撓性の合成樹脂製（例えば、塩化ビニル製）として、甲被２の両端に一体的に係合部を４箇所に設ける。この係合部は係合穴１７よりも小さな断面を有する連結部と、連結部の先端に形成され且つ係合穴１７よりも大きな係合片２１からなる。そして、甲被２の係合片２１をサンダル台１の係合穴１７に嵌合することにより、ビスや接着剤を使用せずに、甲被２をサンダル台１に簡単に取付けることができる。
【図面の簡単な説明】
【００３１】
【図１】本考案のサンダルの一実施例の斜視図である。
【図２】図１に示したサンダルの側面図である。
【図３】図１に示したサンダルの甲被を取外した状態の左足側のサンダル台の平面図である。
【図４】図１に示したサンダルの甲被を取外した状態の右足側のサンダル台の底面図である。
【図５】図５（ａ）は図４のＶａ−Ｖａ線に沿った断面図で、図５（ｂ）はＶｂ−Ｖｂ線に沿った断面図であり、理解し易いように、いずれの図もサンダルを履いた場合のように突起が上側になるように描いている。
【図６】特許文献４に開示されたサンダルを示すものであり、サンダル台の底面図である。
【図７】図７（ａ）は図６のＶIIａ−ＶIIａ線に沿った断面図で、図７（ｂ）は図６のＶIIｂ−ＶIIｂ線に沿った断面図である。
【符号の説明】
【００３２】
１  サンダル台
２  甲被
１１  周縁部
１２  周側壁
１３  縦リブ
１４  横リブ
１５  突起
１６  連結部
【図１】
0003146515.tif 000003
【図２】
0003146515.tif 000004
【図３】
0003146515.tif 000005
【図４】
0003146515.tif 000006
【図５】
0003146515.tif 000007
【図６】
0003146515.tif 000008
【図７】
0003146515.tif 000009